(57)【特許請求の範囲】
【請求項１】
宝石類を収納するための宝石箱であって、
上方が開口された箱本体と、
該箱本体の上方を開閉可能に設けられる蓋体と、
を備え、前記箱本体の中央部に前記宝石類を支持するための宝石用台座が設けられ、該宝石用台座の周囲に長時間保存可能な花類を支持するための花用台座が設けられていることを特徴とする宝石箱。
【請求項２】
前記花用台座は発泡材により構成され、前記花類の茎に横から差し込んだワイヤの両端部を下方に折り曲げて撚った上にテープを巻き付けたものを前記発泡材に形成された細孔に挿入して接着することにより該花類が前記花用台座に固定されるようになっている請求項１に記載の宝石箱。
【請求項３】
前記花用台座は前記箱本体に取り外し可能に設けられ、前記箱本体の内面に接着することにより該箱本体に固定されている請求項２に記載の宝石箱。
【発明の詳細な説明】
【技術分野】
【０００１】
本発明は、指輪やネックレス等の宝石類を収納するための宝石箱に関し、特に、宝石類の周囲をプリザーブドフラワー等の花で装飾した宝石箱に関するものである。
【背景技術】
【０００２】
一般に、指輪、ネックレス等の宝石類は高価なため、宝石箱に収納されて取り引きされている。従来の宝石箱は、上方が開口された箱本体と、該箱本体の内部に嵌設されるクッション性を有するマットと、前記箱本体の上方を開閉可能に設けられる蓋体とを備えて構成されており、宝石類は前記マット上に支持されて宝石箱に収納されるようになっている（例えば、特許文献１参照）。
【先行技術文献】
【特許文献】
【０００３】
【特許文献１】特開平７−２１８号公報
【発明の概要】
【発明が解決しようとする課題】
【０００４】
しかしながら、上記した従来の宝石箱では、蓋体を開放した時に宝石類自体の輝きや美しさだけが視覚に入るため、宝石箱に収納された宝石類によっては、インパクトが弱く、視覚を通じて十分な美感を起こさせることができなかった。そのため、消費者の購買意欲を十分に高めることができないと共に、宝石類をプレゼントされた者に強い感動を与えることができないといった問題があった。
【０００５】
また、宝石店や宝石類の販売・展示会場などでは、ショーケースの中に宝石類と共に花を飾ることも行われているが、これには非常に手間と費用が掛かっていた。
【０００６】
本発明は、上記した課題を解決すべくなされたものであり、蓋体を開放した者に対して、強いインパクトを与え、視覚を通じて十分な美感を起こさせることにより、消費者の宝石類に対する購買意欲を高めることができると共に、宝石類をプレゼントされた者に強い感動を与えることのできる宝石箱を提供することを目的とするものである。
【課題を解決するための手段】
【０００７】
上記した目的を達成するため、本発明は、宝石類を収納するための宝石箱であって、
上方が開口された箱本体と、該箱本体の上方を開閉可能に設けられる蓋体とを備え、前記箱本体の中央部に前記宝石類を支持するための宝石用台座が設けられ、該宝石用台座の周囲に長時間保存可能な花類を支持するための花用台座が設けられていることを特徴とする。
【０００８】
そして、本発明に係る宝石箱において、前記花用台座は発泡材により構成され、前記花類の茎に横から差し込んだワイヤの両端部を下方に折り曲げて撚った上にテープを巻き付けたものを前記発泡材に形成された細孔に挿入して接着することにより該花類が前記花用台座に固定されるようになっているのが好ましい。
【０００９】
また、本発明に係る宝石箱において、前記花用台座は前記箱本体に取り外し可能に設けられ、前記箱本体の内面に接着することにより該箱本体に固定されていてもよい。
【発明の効果】
【００１０】
本発明によれば、蓋体を開放した者に対して、強いインパクトを与え、視覚を通じて十分な美感を起こさせることにより、消費者の宝石類に対する購買意欲を高めることができると共に、宝石類をプレゼントされた者に強い感動を与えることができる等、種々の優れた効果を得ることができる。
【図面の簡単な説明】
【００１１】
【図１】本発明の実施の形態に係る宝石箱を開放した状態を示す斜視図である。
【図２】本発明の実施の形態に係る宝石箱を閉じた状態を示す斜視図である。
【図３】本発明の実施の形態に係る宝石箱を示す断面図である。
【発明を実施するための形態】
【００１２】
以下、図面を参照しつつ、本発明の実施の形態について説明する。ここで、図１は本発明の実施の形態に係る宝石箱を開放した状態を示す斜視図、図２は同宝石箱を閉じた状態を示す斜視図、図３は同宝石箱を示す断面図である。
【００１３】
本実施の形態に係る宝石箱１０は、上方が開口された箱本体１１と、箱本体１１の上方を開閉可能に設けられる蓋体１２とを備えている。そして、箱本体１１及び蓋体１２は、例えば、厚紙により形成され、平面形状がハート型を成しており、蓋体１２は箱本体１１に重合可能に形成されている。
【００１４】
箱本体１１の内部には、中央部に、例えば、指輪、ネックレス、イヤリング、ピアス、ブローチ、カフスボタン、ネクタイピン等の宝石類１３を支持するための宝石用台座１４が設けられている。この宝石用台座１４は、矩形箱状のケース１５の内部にクッション性を有するマット１６が嵌設されて構成されており、マット１６には宝石類１３を挟持するための切り込み部１７が形成されている。
【００１５】
また、箱本体１１の内部には、宝石用台座１４の周囲に、例えば、プリザーブドフラワー、ドライフラワー、造花等の長時間保存可能な花類１８を支持するための花用台座１９が設けられている。図３に良く示されているように、この花用台座１９は、サンペルカ（登録商標）やポリエチレンフォーム等の発泡材により構成され、外形が箱本体１１の内面に沿った形状に形成されていると共に中央に宝石用台座１４が嵌合可能な溝部２０が形成されている。そして、花用台座１９の発泡材には所要数の細孔２１を上下方向に穿設し、前記花類の茎に横から差し込んだワイヤ２２の両端部を下方に折り曲げて撚った上に紙状の粘着テープ（図示省略）を巻き付けたものを前記発泡材に形成された細孔２１に挿入して接着することにより花類１８が花用台座１９に固定されるようになっている。この時、花類の茎に前記テープを巻き付けて或いは該テープを巻き付けることなく直接細孔２１に差し込んでもよい。また、花用台座１９は箱本体１１に取り外し可能に設けられ、その底面２３を箱本体１１の内面２４に接着することにより固定されるようになっている。
【００１６】
このように本発明の実施の形態に係る宝石箱１０によれば、蓋体１２を開放した時に宝石類１３自体の輝きや美しさだけでなく、花類１８の美しさが視覚に入るため、強いインパクトを与え、視覚を通じて十分な美感を起こさせることができる。
【００１７】
したがって、宝石店や宝石類１３の販売・展示会場などにおいて、ショーケースの中に宝石類１３と共に花を飾ることなく、安価且つ容易に、消費者に美感を想起させ、消費者の購買意欲を確実に高めることができる。
【００１８】
また、プロポーズ、結婚記念日、クリスマス、ホワイトデーの時などにおいて、花類１８で装飾された宝石類１３をプレゼントすることにより、宝石類１３をプレゼントされた者に強い感動を与え、一生の宝物にすることができる。
【００１９】
さらに、花屋が宝石類１３を収納した宝石箱１０或いは宝石類１３を収納する前の宝石箱１０を仕入れた後に花類１８を花用台座１９に挿して販売したり、或いは、宝石店が花類１８を収納した宝石箱１０を仕入れた後に宝石類１３を宝石用台座１４に取り付けて販売したりすることにより、花屋と宝石店が共に販路の拡大を図ることができ、売り上げの向上を期待することができる。
【００２０】
さらに、花用台座１９に発泡材を使用することにより、従来良く使用されているオアシス（登録商標）と比べて、粉の発生を防止することができると共に、箱本体１１に対する接着力を高め、見た目を向上させることができる。
【００２１】
また、ワイヤ２２を撚った上にテープを巻き付けることにより、花用台座１９に対する接着力を高めることができる。
【００２２】
さらに、花用台座１９を箱本体１１に取り外し可能に設けることにより、花用台座１９に細孔２１を穿設する作業や、細孔２１にワイヤ２２を接着する作業等を、花用台座１９を箱本体１１に取り付ける前に行うことができるため、作業効率を高めると共に作業中に箱本体１１に損傷を与えたりするのを防止することができる。
【００２３】
なお、上記した実施の形態では、コスト削減のため、蓋体１２が箱本体１１に重合するように構成しているが、本発明はこの場合に限定する趣旨ではなく、例えば、箱体１１に対して蓋体１２を蝶番等により開閉可能に連結したりしてよく、さらに、蓋体１２の内面に鏡等を貼付してもよい。
【００２４】
また、蓋体１２を開放した時に、オルゴールの音が鳴ったり、或いは、香りが発生したり、或いは、メッセージが出力されたりするように構成することもできる。
【００２５】
さらに、上記した箱本体１１及び蓋体１２の材質や形状は、単なる例示に過ぎず、例えば、材質を樹脂製や木製にしたり、或いは、平面形状を円形、長円形、星型、矩形、多角形としたりする等、各種変更が可能である。
【００２６】
さらに、宝石類１３や宝石用台座１４は、上記したように１個だけでなく、複数個設けてもよい。
【００２７】
さらにまた、宝石用台座１４及び花用台座１９の材質や形状についても上記した場合に限定されるものではないことは言う迄もない。
【符号の説明】
【００２８】
１０          宝石箱
１１          箱本体
１２          蓋体
１３          宝石類
１４          宝石用台座
１８          花類
１９          花用台座
２１          細孔
２２          ワイヤ
２４          箱本体の内面
【図１】
0005410900.tif 000002
【図２】
0005410900.tif 000003
【図３】
0005410900.tif 000004